(57)【要約】【課題】既存のアシストグリップに対して後付けすることができる脱出ハンマー収容具を提供する。【解決手段】乗り物の室内に取り付けられ、棒状に延びる把持部４と、前記把持部４の両端に前記乗り物の内装部材６に取り付ける取付部３とを備えたアシストグリップ１に脱出用ハンマー２９を収容する脱出ハンマー収容具１１であって、前記収容具１１は、前記把持部４に固定される台座部１２を介して取り付けられたことにより、既存のアシストグリップに対して後付けすることが可能となる。【選択図】図１
2019177815.tif 000002
【特許請求の範囲】
【請求項１】
乗り物の室内に取り付けられ、
棒状に延びる把持部と、
前記把持部の両端に前記乗り物の内装部材に取り付ける取付部とを備えたアシストグリップに取り付けられる脱出ハンマー収容具であって、
前記把持部に固定される台座部を備えることを特徴とする脱出ハンマー収容具。
【請求項２】
前記収容具は、前記台座部を覆う蓋部材を備えることを特徴とする請求項１に記載の脱出ハンマー収容具。
【請求項３】
前記収容具が前記把持部と前記取付部との間に囲まれた領域に配置されていることを特徴とする請求項１に記載の脱出ハンマー収容具。
【請求項４】
前記蓋部材が回動することにより、前記脱出用ハンマーの取り出しが可能となることを特徴とする請求項１に記載の脱出ハンマー収容具。
【請求項５】
前記アシストグリップは、前記取付部に設けられた前記把持部長手方向に延びる軸部材により、回動可能に前記乗り物の内装部材に取り付けられており、
前記把持部が前記上方に位置する非使用位置と、前記室内下方に位置する使用位置との切り替えが可能となることを特徴とする請求項１に記載の脱出ハンマー収容具。
【発明の詳細な説明】
【技術分野】
【０００１】
本発明は、窓ガラスを破壊するための脱出用ハンマーを収容する脱出ハンマー収容具に関する。
【背景技術】
【０００２】
従来、この種のものとして、帯状で中央部分が凹状に湾曲した把持部と、前記把持部の両端に各々垂設され、配設先の車両の窓ガラスが破壊可能なハンマー部材と、配設先の車両のルーフサイド内側に埋め込み固定され、前記ハンマー部材を挿通する挿通穴を有し、前記挿通穴から前記ハンマー部材が前記把持部とともに離脱可能な受部材と、前記挿通穴から前記ハンマー部材の離脱を禁止する状態、及び離脱可能な状態に切換える切換手段とを具備することを特徴とするハンマー付アシストグリップ（例えば特許文献１）がある。
【０００３】
また、アシストグリップ（グラブレール）ではないが、発煙筒を利用した緊急脱出用工具（例えば特許文献２）がある。この緊急脱出工具は、発炎筒端部への冠着部を備え、自動車等の強化ガラスを割るためのハンマー部が発炎筒の長手方向に向くように設けられている。
【０００４】
しかし、前記緊急脱出工具では、複数のハンマーを装備する場合、複数のハンマーに対応して専用の収納箇所も複数必要となるため、乗り物などの内部スペースに制約のあるものには不向きな面があり、また、専用収納箇所以外の例えばダッシュボードの内部に収納すると、緊急時に直ぐに取り出すことができない場合があり、使い勝手が悪い。
【０００５】
これに対して、上記ハンマー付アシストグリップでは、通常時はアシストグリップとして使用するため、前記緊急脱出工具のように専用の収納場所が必要になるという問題はない。
【０００６】
また、アシストグリップに脱出用ハンマーを内蔵したものがある（例えば特許文献３）。
【先行技術文献】
【特許文献】
【０００７】
【特許文献１】特願２００２−１０４０４８号公報
【特許文献２】特願２００７−１８１９０２号公報
【特許文献３】ＷＯ２０１７／１５９３５４公報
【発明の概要】
【発明が解決しようとする課題】
【０００８】
しかし、特許文献３のアシストグリップは、既存のアシストグリップに対して後付けすることが難しいという問題があった。
【０００９】
そこで、本発明は上記した問題点に鑑み、既存のアシストグリップに対して後付けすることができる脱出ハンマー収容具を提供することを目的とする。
【課題を解決するための手段】
【００１０】
上記目的を達成するために、請求項１に係る発明は、乗り物の室内に取り付けられ、棒状に延びる把持部と、前記把持部の両端に前記乗り物の内装部材に取り付ける取付部とを備えたアシストグリップに脱出用ハンマーを収容する脱出ハンマー収容具であって、前記収容具は、前記把持部に固定される台座部を介して取り付けられることを特徴とする。
【００１１】
請求項２に係る発明は、前記収容具は、前記台座部を覆う蓋部材を備えることを特徴とする。
【００１２】
請求項３に係る発明は、前記収容具が前記把持部と前記取付部との間に囲まれた領域に配置されていることを特徴とする。
【００１３】
請求項４に係る発明は、前記蓋部材が回動することにより、前記脱出用ハンマーの取り出しが可能となることを特徴とする。
【００１４】
請求項５に係る発明は、前記アシストグリップは、前記取付部に設けられた前記把持部長手方向に延びる軸部材により、回動可能に前記乗り物の内装部材に取り付けられており、前記把持部が前記上方に位置する非使用位置と、前記室内下方に位置する使用位置との切り替えが可能となることを特徴とする。
【発明の効果】
【００１５】
請求項１の構成によれば、既存のアシストグリップに対して後付けすることが可能となる。
【００１６】
請求項２の構成によれば、既存のアシストグリップに対して後付けすることが可能となる。
【００１７】
請求項３の構成によれば、アシストグリップの握りやすさを妨げない。
【００１８】
請求項４の構成によれば、脱出用ハンマーの取り出しが容易である。
【００１９】
請求項５の構成によれば、アシストグリップの使用位置と非使用位置の切り替えが可能となる。
【図面の簡単な説明】
【００２０】
【図１】本発明の実施例１のアシストグリップの非使用位置を示す斜視図である。
【図２】同上、収容具の分解斜視図である。
【図３】同上、アシストグリップの非使用位置における断面図である。
【図４】同上、アシストグリップの使用位置における断面図である。
【図５】同上、回動機構付近で切断したアシストグリップの断面図である。
【図６】同上、図５の状態から蓋部材の取り外した状態示す断面図である。
【図７】同上、蓋部材を外した状態を示す斜視図である。
【図８】同上、蓋部材に脱出用ハンマーを収容した状態を示す斜視図である。
【図９】同上、脱出用ハンマーの分解図である。
【図１０】本発明の実施例２の収容具を取り付けた状態のアシストグリップの斜視図である。
【図１１】同上、収容具を取り付けた状態のアシストグリップの側面図である。
【図１２】同上、収容具から蓋部材を取り外した状態を示す斜視図である。
【図１３】本発明の実施例３の収容具を取り付けた状態のアシストグリップの斜視図である。
【図１４】同上、収容具の分解斜視図である。
【図１５】同上、図１３から蓋部材を取り外した状態を示す斜視図である。
【図１６】本発明の実施例４の収容具を取り付けた状態のアシストグリップの斜視図である。
【図１７】同上、収容具を広げて脱出用ハンマーを露出した状態を示すアシストグリップの斜視図である。
【図１８】同上、収容具の分解斜視図である。
【図１９】同上、脱出用ハンマーを取り付けた状態で広げた収容具を示す斜視図である。
【発明を実施するための形態】
【００２１】
以下、図面を参照して、本発明のアシストグリップの実施例について説明する。
【実施例１】
【００２２】
図１〜図９は本発明の実施例１を示す。同図に示すように、アシストグリップ１は、本体２と取付部３とを一体に備える。前記本体２は、合成樹脂からなり、棒状に延びる把持部４と、この把持部４の長さ方向両端に一体に設けられた屈曲部たる湾曲部５，５とを備える。また、前記湾曲部５，５に前記取付部３，３がそれぞれ設けられ、前記取付部３は乗り物の内装部材６に取り付けられるものである。尚、取付部３は、湾曲部５の背面側に設けられている。
【００２３】
前記内装部材６としては、乗り物の内部空間の内壁部が例示され、例えばアシストグリップ１は座席の側部上方に設けられる。
【００２４】
前記本体２は、把持部４の外縁４Ｓが略真っ直ぐに形成され、両側の湾曲部５，５の外縁に凸状の曲面部５Ｍ，５Ｍが形成され、これら曲面部５Ｍ，５Ｍは前記把持部４の外縁４Ｓに連続して形成されている。
【００２５】
また、把持部４の内縁４Ｕは略真っ直ぐに形成され、湾曲部５の内縁５Ｕは前記内縁４Ｕと略直交して形成されている。尚、図１において、把持部４の上側が外縁４Ｓであり、把持部４の下側が内縁４Ｕであり、以下、図１のアシストグリップ１の向きを基準として、アシストグリップ１などの上下を説明する。
【００２６】
アシストグリップ１は、回動機構７によって、乗員に把持される使用位置と、乗員に把持されない非使用位置間において回動自在に内装部材６に支持されている。
【００２７】
アシストグリップ１の湾曲部５の背面には、取付凹部８が設けられている。この取付凹部８には、内装部材６に取り付けられるベース部材９が収容され、湾曲部５とベース部材９を回動機構７の支持軸１０が貫通し、アシストグリップ１を内装部材６に回動自在に支持している。また、回動機構７としては、アシストグリップ１を非使用位置へと付勢するねじりコイルばね等の付勢手段（図示せず）を備えている。
【００２８】
前記本体２の内縁４Ｕには、収容具１１が取り付けられている。収容具１１は、前記本体２の内縁４Ｕに固定される台座部１２と、台座部１２を覆う蓋部材１３とを備えている。
【００２９】
台座部１２は、把持部４の正面と背面に対応する正面部１４と背面部１５を把持部４の長手方向に沿うように形成し、円弧状の断面形状を有する内縁４Ｕに嵌合可能な湾曲した凹部からなる嵌合部１６を上部に備え、ビスＢを内縁４Ｕに打設可能とする底面部１７を備えている。
【００３０】
蓋部材１３は、把持部４の長手方向に沿うように形成され、上方を開放した有底箱型形状に形成されており、非使用位置に車内側となる正面部１８の中央部分には弾性係止部１９を備え、非使用位置に内装部材６側に対向する背面部２０の上部両端には、外向きに突設した湾曲した鉤状の係止爪２１を備えている。
【００３１】
蓋部材１３の底面部には、長手方向に沿って形成された仕切板２２が立設されている。
また、蓋部材１３の背面部２０の中央部分を蓋部材１３内部へ向けて凹ませて形成された指掛け部２３が形成されている。
【００３２】
係止爪２１は、背面部２０の上部両端から上方へ延設された立ち上げ部２４と、立ち上げ部２４からアシストグリップ１の背面方向に円弧状に折り曲げた折り曲げ部２５とを備えている。
【００３３】
弾性係止部１９は、正面部１８に相互に間隔を有して形成された一対の切欠部２６によって舌状に形成されたもので、上端に係合凸部２７を備えている。
【００３４】
尚、台座部１２では、非使用位置に車内側となる正面部１４の中央部分の内側には係合凸部２７が係合可能な係合凹部１４Ａを備えている。
【００３５】
台座部１２の背面部１５の両端下部には正面部１４方向へと突設された係止片２８をそれぞれ備えている。この係止片２８には、係止爪２１が係止可能となっている。
【００３６】
前記収容具１１には、ポンチタイプハンマーである脱出用ハンマー（以下、ハンマーと称す）２９が着脱可能に収納される。
【００３７】
ハンマー２９は、合成樹脂製で略円筒状のハンマー本体３０の先端に、硬質材料からなるポンチ３１が固定して設けられている。蓋部材１３に収納されたハンマー２９のハンマー本体３０は、仕切板２２と指掛け部２３の間に保持される。
【００３８】
ハンマー本体３０のポンチ３１側はカバー部材３２により覆われている。カバー部材３２の外周には、切断部３３を備えている。切断部３３は、カバー部材３２の外周より突設されたガイド部３４と、ガイド部３４とカバー部材３２との間に形成された切欠き状に形成された案内溝３５と、案内溝３５に切断手段たる刃体３６を設け、刃体３６の刃部３７は案内溝３５から外部に突出しない構成となっている。
【００３９】
図２は、収容具１１の取り付け方法の一例を示している。台座部１２の嵌合部１６を内縁４Ｕに嵌合させた状態で底面部１７と内縁４ＵとをビスＢ等で固着する。次に、ハンマー２９が収納された蓋部材１３をまずは係止片２８の上部に係止爪２１の折り曲げ部２５を引っ掛けるようにして、係止爪２１を係止片２８に係合した後、弾性係止部１９を係止凹部１４Ａに係合して、台座部１２に蓋部材１３を取り付けると、収容具１１の取り付けが完了する。
【００４０】
次に、図５〜図７を用いて、ハンマー２９の取り出し方法について説明する。まず、蓋部材１３の取り外し方法について、指掛け部２３に指を掛けた状態で、弾性係止部１９を押し込み、弾性係止部１９と係止凹部１４Ａとの係止状態を解除し、回動機構７を回転軸として、蓋部材１３を下方へ回転させる。係止片２８に係合した状態の係止爪２１は、前述のように蓋部材１３を下方に回転させると、折り曲げ部２５から立ち上げ部２４へと係止片２８に接触箇所を変化させた状態で係合している。続いて、係止爪２１と係止片２８の係合状態を解除して、蓋部材１３を台座部１２から取り外す。
【００４１】
ここで、回動機構７を収容具１１の背面部側に備えたことにより、蓋部材１３が車内側に開くので、蓋部材１３の取り外しが容易となる。
【００４２】
また、蓋部材１３の背面部２０側に指掛け部２３を備えたことにより、非使用位置において指を掛けるスペースを確保することができるので、蓋部材１３の取り外しが容易となる。
【００４３】
また、アシストグリップ１の使用位置での内装部材６と収容具１１との隙間は、使用者の手を入れる隙間が確保されている。
【００４４】
本実施例の収容具１１は、乗り物の室内に取り付けられ、棒状に延びる把持部４と、前記把持部４の両端に前記乗り物の内装部材６に取り付ける取付部３とを備えたアシストグリップ１に脱出用ハンマー２９を収容する脱出ハンマー収容具１１であって、前記収容具１１は、前記把持部４に固定される台座部１２を介して取り付けられたことにより、既存のアシストグリップ１に対して後付けすることが可能となる。
【００４５】
また、本実施例の収容具１１は、前記台座部１２を覆う蓋部材１３を備えることにより、既存のアシストグリップ１に対して後付けすることが可能となる。
【００４６】
また、本実施例の収容具１１は、前記把持部４と前記取付部３との間に囲まれた領域に配置されたことにより、アシストグリップ１の握りやすさを妨げない。
【００４７】
また、本実施例の収容具１１は、前記蓋部材１３が回動することにより、前記脱出用ハンマー２９の取り出しが可能となることにより、脱出用ハンマー２９の取り出しが容易である。
【００４８】
また、本実施例では、前記アシストグリップ１は、前記取付部３に設けられた前記把持部４長手方向に延びる軸部材である支持軸１０により、回動可能に前記乗り物の内装部材６に取り付けられており、前記把持部４が前記上方に位置する非使用位置と、前記室内下方に位置する使用位置との切り替えが可能となることにより、アシストグリップ１の使用位置と非使用位置の切り替えが可能となる。
【実施例２】
【００４９】
図１０及び図１２は、本発明の実施例２を示し、上記実施例１と同一部分に同一符号を付し、その詳細な説明を省略して詳述する。本実施例の収容具１１は、台座部１２の嵌合部１６の前方に収容部４０を一体に備え、収容部４０を覆う蓋部材４１を備え、本体２の正面部側に収容具１１を配置したものとなっている。収容部４０は、嵌合部１６の前方に形成された有底箱状に形成されたものである。
【００５０】
蓋部材４１は、正面部４２の中央部分に弾性係止部４３を備えている。弾性係止部４３は、正面部４２に相互に間隔を有して形成された一対の切欠部４４によって舌状に形成されたもので、下端に係合凸部４５を備えている。収容部４０の正面部４１の内側に弾性係止部４３が係止可能な係合凹部４６を備えている。
【００５１】
尚、図示されていないが、本実施例の蓋部材４１の背面部側に実施例１のような回動機構７や指掛け部を備えたものでもよいものとする。また、アシストグリップ１の使用位置での内装部材６と収容具１１との隙間は、使用者の手を入れる隙間が確保されている。
【００５２】
さらに、収容具１１をアシストグリップ１の本体２の正面部に配置して、収容具１１とアシストグリップ１の本体２を一緒に握ることで、略断面円形状の本体２を、手摺り等において一般的に握りやすい形状とされる楕円形状の縦横寸法に近い断面形状として握ることができるので、アシストグリップ１の握りやすさを向上させることができる。
【実施例３】
【００５３】
図１３及び図１５は、本発明の実施例３を示し、上記実施例１及び２と同一部分に同一符号を付し、その詳細な説明を省略して詳述する。収容具１１は、台座部１２の背面部１５を下方に延設し、ハンマー２９が保持される保持部５０が形成されている。そして、台座部１２と保持部５０を覆う蓋部材５１を備えている。
【００５４】
蓋部材５１は、正面部５２、底面部５３、そして正面部５２の上端から底面部５３の後端までを覆う略三角形状の左側面部５４及び右側面部５５をそれぞれ備えている。
【００５５】
なお、保持部５０では、蓋部材５１を台座部１２から取り外した状態で、保持部５０からハンマー２９が落下するのを防止するために、ハンマー本体３０を保持する支持片５６を複数備えている。また、アシストグリップ１の使用位置での内装部材６と収容具１１との隙間は、使用者の手を入れる隙間が確保されている。
【実施例４】
【００５６】
図１６及び図１９は、本発明の実施例４を示し、上記実施例１〜３と同一部分に同一符号を付し、その詳細な説明を省略して詳述する。本実施例の台座部１２は、アシストグリップ１の本体２に巻回した状態で取り付けられた複数の雌型面テープとしている。
【００５７】
収納具１１は、幅寸法を本体２の長手方向の寸法とほぼ同一とし、長さ寸法を本体２の全周より大きく形成された合成樹脂製の織布からなる。
【００５８】
収納具１１の一側面６０の一端側には、雌型面テープ６１が備えられている。また、収納具１１の他側面６２には、一端側に台座部１２に着脱可能な複数の雄型面テープからなる着脱部６３を備え、中央部分に筒型状のハンマー保持部６４を備え、他端側には雌型面テープ６１と着脱自在な雄型面テープ６５を備え、他端にはストラップ６６を備えている。
【００５９】
図１７〜図１９を用いて収容具１１の取り付け方法を説明する。まず、収容具１１の他側面６２側を本体２に向けて収容具１１を本体２に巻きつけて、台座部１２と着脱部６３を固着させて、収容具１１を本体２に取り付ける。次に、ハンマー保持部６４にハンマー２９を取り付けた状態で、収容具１１をさらに本体２に巻きつけて、雌型面テープ６１と雄型面テープ６５を固着すると、ハンマー２９が収容される。
【００６０】
ハンマー２９の取り出し方法についても図１７〜図１９を用いて説明すると、ストラップ６６を掴み、雌型面テープ６１と雄型面テープ６５の固着状態を解除して、本体２に巻き付いていた収容具１１をハンマー保持部６４が露出するまで広げると、ハンマー２９を取り出すことができる。
【００６１】
また、アシストグリップ１の使用位置での内装部材６と収容具１１との隙間は、使用者の手を入れる隙間が確保されている。
【００６２】
尚、本発明は、本実施例に限定されるものではなく、本発明の要旨の範囲内で種々の変形実施が可能である。本実施例のアシストグリップは使用位置と非使用位置の間で回動可能なものとしたが、使用位置のまま固定された固定式のアシストグリップでもよいものとする。また、実施例４の各種面テープ１２，６１，６３，６５は、スナップボタン等の各種固着手段に変更可能であり、支持片５６の形状や構成についても適宜変更可能である。
【符号の説明】
【００６３】
１  アシストグリップ
３  取付部
４  把持部
６  内装部材
１０  支持軸（回転軸）
１１  収容具
１２  台座部
１３  蓋部材
【図１】
2019177815.tif 000003
【図２】
2019177815.tif 000004
【図３】
2019177815.tif 000005
【図４】
2019177815.tif 000006
【図５】
2019177815.tif 000007
【図６】
2019177815.tif 000008
【図７】
2019177815.tif 000009
【図８】
2019177815.tif 000010
【図９】
2019177815.tif 000011
【図１０】
2019177815.tif 000012
【図１１】
2019177815.tif 000013
【図１２】
2019177815.tif 000014
【図１３】
2019177815.tif 000015
【図１４】
2019177815.tif 000016
【図１５】
2019177815.tif 000017
【図１６】
2019177815.tif 000018
【図１７】
2019177815.tif 000019
【図１８】
2019177815.tif 000020
【図１９】
2019177815.tif 000021